(57)【要約】【課題】本発明は、自転車のほぼ全体を覆うカバー体により、悪天候においても、悪条件を避けて移動走行を可能にすることができる自転車装置を提供する一方、好天気の場合には、カバー体を開放しておくことができるカバー付自転車装置を提供する。【解決手段】自転車１のほぼ全体を覆うカバー体１０の天井部を回転カバー体１２として開閉可能に設けてなる回転カバー付自転車装置。【選択図】　　　　　　　図１
2004082747.tif 000002
【特許請求の範囲】
【請求項１】
自転車のほぼ全体を覆うカバー体の天井部を回転カバー体として開閉可能に設けてなる回転カバー付自転車装置。
【請求項２】
請求項１に記載の回転カバー付自転車装置において、自転車本体にカバー体を一体に取付け、カバー体に対して回転カバー体を回転可能に設けてなる回転カバー付自転車装置。
【請求項３】
請求項１又は２に記載の回転カバー付自転車装置において、回転カバー体を自転車本体後方に回転するように設けてなる回転カバー付自転車装置。
【請求項４】
請求項１、２又は３に記載の回転カバー付自転車装置において、カバー体に回転カバー体を前後方向にスライド自在に設けてなる回転カバー付自転車装置。
【請求項５】
請求項４に記載の回転カバー付自転車装置において、回転カバー体をスライド部端部付近において位置決め停止可能に設けてなる回転カバー付自転車装置。
【請求項６】
請求項１乃至５のいずれかに記載の回転カバー付自転車装置において、回転カバー体を取り外し可能に設けてなる回転カバー付自転車装置。
【請求項７】
請求項１乃至６のいずれかに記載の回転カバー付自転車装置において、自転車本体が三輪以上の車輪を備えることからなる回転カバー付自転車装置。
【請求項８】
請求項１乃至７のいずれかに記載の回転カバー付自転車装置において、自転車本体、カバー体又はカバー体取付フレームが走行に伴って充電可能な電池と駆動モーターを具備することからなる回転カバー付自転車装置。
【請求項９】
請求項１乃至８のいずれかに記載の回転カバー付自転車装置において、自転車本体、カバー体又はカバー体取付フレームに、足こぎに伴って充電可能な電池を具備することからなる回転カバー付自転車装置。
【請求項１０】
請求項１乃至９のいずれかに記載の回転カバー付自転車装置において、自転車本体、カバー体又はカバー体取付フレームに、足こぎに伴って回転する車輪を回転自在に支持する停止スタンドを設けてなる回転カバー付自転車装置。
【発明の詳細な説明】
【０００１】
【発明の属する技術分野】
本発明は、回転カバー付自転車装置に関する。
【０００２】
【従来の技術】
従来、自転車に雨よけ等のフードを設けたものとして、運転者の上部のみを覆うフードを設けた自転車（特開平１１−５９５５２）、或いは、運転部のみを覆うフードを取り外し可能に設けた自転車（特開昭５０−４１２４３）等が知られている。
【０００３】
【発明が解決しようとする課題】
しかし、自転車全体を覆うカバー体を設けたカバー体付自転車装置は無く、運転者の上部を覆うフードでは、運転者の側面方向を覆っていないため、横からの雨や風を防ぐことができない。
そこで、本発明は、自転車のほぼ全体を覆うカバー体により、降雨、寒風、砂塵、その他の悪天候、悪環境の場所においても、前記接触するのが望ましくない悪条件を避けて移動走行を可能にすることができるカバー体付自転車装置を提供する一方、好天気の場合には、少なくともカバー体天井部を開放して直接に快適な外の風景を楽しみ、外気を呼吸し触れることができるようにすると共に、屋外ばかりでなく室内において健康維持や電池の充電のために自転車を停止して漕ぐときには、カバー体天井部を開放しておくことができることが好ましい。
【０００４】
【課題を解決するための手段】
そこで、本発明は、請求項１に記載のように、自転車のほぼ全体を覆うカバー体の天井部を回転カバー体として開閉可能に設けてなる回転カバー付自転車装置を提供するものである。
本発明によれば、降雨、寒風、砂塵、その他の悪天候、悪環境の場所においては、自転車のほぼ全体を覆うカバー体により、接触するのが望ましくない悪条件を避けて移動走行を可能にすることができる一方、好天気の場合には、カバー体天井部を開放して直接に快適な外の風景を眺め外気を呼吸し触れることができると共に、室内において健康維持や電池の充電のために自転車を停止して漕ぐときには、カバー体天井部を開放しておくことができる。
【０００５】
また、本発明は、請求項２に記載のように、請求項１に記載の回転カバー付自転車装置において、自転車本体にカバー体を一体に取付け、カバー体に対して回転カバー体を回転可能に設けてなる回転カバー付自転車装置を提供するものである。
本発明によれば、自転車本体に一体に設けたカバー体に対して回転カバー体を回転可能に設けたことにより、回転カバー体をカバー体と一体に容易に製作でき、組み立て作業を容易にすることができる。
【０００６】
また、本発明は、請求項３に記載のように、請求項１又は２に記載の回転カバー付自転車装置において、回転カバー体を自転車本体後方に回転するように設けてなる回転カバー付自転車装置を提供するものである。
本発明によれば、回転カバー体を開放しても前方カバー体だけで自転車の走行に支障が生じない。
【０００７】
また、本発明は、請求項４に記載のように、請求項１、２又は３に記載の回転カバー付自転車装置において、回転カバー体を前後方向にスライド自在に設けてなる回転カバー付自転車装置を提供するものである。
本発明によれば、回転カバー体を後方にスライドすることにより、側面の開放面積を大小調整することができると共に、自転車への乗り降りを容易にすることができる。
【０００８】
また、本発明は、請求項５に記載のように、請求項４に記載の回転カバー付自転車装置において、回転カバー体をスライド部端部付近において位置決め停止可能に設けてなる回転カバー付自転車装置を提供するものである。
本発明によれば、回転カバー体を、開放状態又は閉鎖状態に係わらず、スライド部端部付近において位置決め停止しておくことができる。
【０００９】
また、本発明は、請求項６に記載のように、請求項１乃至５のいずれかに記載の回転カバー付自転車装置において、回転カバー体を取り外し可能に設けてなる回転カバー付自転車装置を提供するものである。
本発明によれば、好天気の場合等に、回転カバー体を取り外して外の風景を眺め外気を呼吸し触れることができると共に、室内において健康維持や電池の充電のために自転車を停止して漕ぐときには、回転カバー体を取り外しておくことができる。
【００１０】
また、本発明は、請求項７に記載のように、請求項１乃至６のいずれかに記載の回転カバー付自転車装置において、自転車本体が三輪以上の車輪を備えることからなる回転カバー付自転車装置を提供するものである。
本発明によれば、三輪以上の車輪により自転車本体が転倒することがなく、安定して走行することができる。
【００１１】
また、本発明は、請求項８に記載のように、請求項１乃至７のいずれかに記載の回転カバー付自転車装置において、自転車本体、カバー体又はカバー体取付フレームが走行に伴って充電可能な電池と駆動モーターを具備することからなる回転カバー付自転車装置を提供するものである。
本発明によれば、駆動モータにより走行することができ、走行に伴って電池に充電できると共に、電池と駆動モーターを自転車本体、回転カバー体又はカバー体取付フレームに選択的に装備することができる。
【００１２】
また、本発明は、請求項９に記載のように、請求項１乃至８のいずれかに記載の回転カバー付自転車装置において、自転車本体、カバー体又はカバー体取付フレームに、足こぎに伴って充電可能な電池を具備することからなる回転カバー付自転車装置を提供するものである。
本発明によれば、走行中に限らず室内等において停車中に、足こぎによって電池に充電できると共に、電池を自転車本体、回転カバー体又はカバー体取付フレームに選択的に装備することができる。
【００１３】
また、本発明は、請求項１０に記載のように、請求項１乃至９のいずれかに記載の回転カバー付自転車装置において、自転車本体、カバー体又はカバー体取付フレームに、足こぎに伴って回転する車輪を回転自在に支持する停止スタンドを設けてなる回転カバー付自転車装置を提供するものである。
本発明によれば、室内等において停車中に、停止スタンドによって支持した車輪を足こぎによって回転して、運動することができると共に、停止スタンドを自転車本体、回転カバー体又はカバー体取付フレームに選択的に装備することができる。
【００１４】
【発明の実施の形態】
以下図示する実施例に基づいて本発明の実施の形態を説明する。
図において、１０は自転車本体１のほぼ全体を覆うカバー体で、カバー体１０の前部と後部下部は固定カバー体１１として自転車本体１と一体に設けてあり、後部上部は回転カバー体１２として回転可能に設けてある。
【００１５】
自転車本体１は、概略的に示した座席部分２、駆動関係３，４，５，６，７、前後の車輪８，９を除いて、図では省略してあり、座席部分２の利用者Ｕが駆動輪３を足踏ペダルを介して漕ぐと、伝動チェーン４等を介して中継輪５が回転し、伝動チェーン６等を介して被駆動輪７が回転し、後輪９が駆動するように構成してある。
実施例の場合、自転車本体１は操舵用の１個の前輪８と２個の後輪９の三輪車からなる。
【００１６】
また、１３は回転カバー体１２が開放時に重なりあう後部カバー体で、固定カバー体１１と一体に構成することもできるが、回転カバー体１２と一体に固定カバー体１１から取り外すことができるように構成することも可能である。
また、固定カバー体１１及び後部カバー体１３と回転カバー体１２との接合部は、風雨避けに密封するように凹凸又は重ね合わせに密着するように構成することができると共に、着脱式の開閉具や開閉操作取っ手を設けることも可能である。
【００１７】
実施例の場合、カバー体１０は、透明、半透明又は不透明な合成樹脂板等からなり、比較的柔軟な合成樹脂板等からなる場合は、骨格を形成するカバー体取付フレームに取り付けることによりカバー体１０を強化すると共に、自転車本体１と一体なフレーム構造又は骨組みにより自転車本体１に一体に固定することができる。
【００１８】
また、カバー体１０を強化プラスチック等で形成した場合には、カバー体１０自体により形状を保持し、自転車本体１に固定するように構成することもできるが、逆に、カバー体１０が柔軟な合成樹脂シートからなる場合は、骨格を形成する骨組によりカバー体１０の形状を保持すると共に、骨組により自転車本体１のカバー体取付フレームに一体に固定するように構成することができる。
また、カバー体１０を紫外線遮断性の素材で構成することにより、人体に有害な紫外線等を遮断することができる。
【００１９】
回転カバー体１２は、図４及び図５に記載のように、回転支持軸１４を中心に、図４の回転位置と図５の閉鎖位置との間で回転可能に構成してあり、好天気の場合には、回転カバー体１２を開放して直接に快適な外の風景を眺め外気を呼吸し触れることができると共に、室内において健康維持や電池の充電のために自転車を停止して漕ぐときには、カバー体天井部を開放しておくことができる一方、悪天候、悪環境の場所においては、回転カバー体１２を閉じて自転車のほぼ全体を覆うカバー体１０により、接触するのが望ましくない悪条件を避けて移動走行を可能にすることができる。
【００２０】
回転支持軸１４は後部カバー体１３に一体に固定して設けた円形の回転軸受孔１５に回転自在に嵌合して設けてあり、図１乃至図３に記載の実施例の場合、回転支持軸１４はＤ字形状からなる。
また、回転軸受孔１５には後方に向かって、孔径を細めたスライド部１６が一体に設けてあり、回転支持軸１４が回転カバー体１２と共に一体に開放位置に回転した位置において、図３に破線で示したように、スライド軸受部１６にスライド自在に嵌合し得るように構成してある。従って、図示の実施例では、回転カバー体１２は回転支持軸１４と共に約６０＆ｄｅｇ；回転する構成であるが、３０＆ｄｅｇ；乃至９０＆ｄｅｇ；以上等の任意の回転角度に設定可能である。
【００２１】
この実施例によれば、回転カバー体１２を後方にスライドすることにより、天井部及び側面の開放面積を、図２に記載のように、前後して大小調整することができると共に、広く後方にスライドすることによって自転車への乗り降りを容易にすることができる。
図示の実施例の場合、図３に記載のように、スライド軸受部１６は回転軸受孔１５に対して段部１７を介して上方に設けてあり、回転カバー体１２を回転操作後に回転支持軸１４を持ち上げるようにしないと簡単にスライド軸受部１６側に移動しないように構成して位置決め停止手段としてある。
【００２２】
なお、スライド軸受部１６の後端部１８にも段部１７と同様に段部を介して回転支持軸１４の位置決め停止用の凹部を設けることができる。
１９は回転カバー体１２及び回転支持軸１４を一体に回転し、一体にスライドさせることができる円形の操作部材である。
【００２３】
また、回転カバー体１２を単独若しくは後部カバー体１３と一体に取り外し可能に設けて、好天気の場合等に、回転カバー体を取り外して外の風景を眺め外気を呼吸し触れることができると共に、室内において健康維持や電池の充電のために自転車を停止して漕ぐときには、回転カバー体を取り外しておくことができるように構成することができる。
【００２４】
その他、カバー体１０には、取っ手、サイド窓２０、フロント窓２１、天井窓２２、後方窓２３、サイドミラー、ワイパー、夜間照明用のフロントライト２４、反射機能付き後部ライト２５等を設けることができる。
また、図では省略したが、足踏式のペダルで駆動される駆動輪３、中継輪５又は被駆動輪７に駆動モーター、発電機と足漕ぎにより充電可能な電池が設けてあると共に、電池や電気回路部品、配線等は、カバー体取付フレームや固定カバー体１１に設けることが可能である。
【００２５】
また、図では省略したが、自転車本体１、車体骨組、固定カバー体１１又はカバー体取付フレーム等に、足こぎに伴って回転する車輪を回転自在に支持する停止スタンドを設けて、室内等において停車中に、停止スタンドによって支持した車輪を足こぎによって回転して、運動することができると共に、停止スタンドを自転車本体、回転カバー体又はカバー体取付フレームに選択的に装備することができる。
【００２６】
【発明の効果】
以上の通り、本発明に係る回転カバー付自転車装置によれば、請求項１に記載のように、自転車のほぼ全体を覆うカバー体の天井部を回転カバー体として開閉可能に設けてなる構成を有することにより、降雨、寒風、砂塵、その他の悪天候、悪環境の場所においては、自転車のほぼ全体を覆うカバー体により、接触するのが望ましくない悪条件を避けて移動走行を可能にすることができる一方、好天気の場合には、カバー体天井部を開放して直接に快適な外の風景を眺め外気を呼吸し触れることができると共に、室内において健康維持や電池の充電のために自転車を停止して漕ぐときには、カバー体天井部を開放しておくことができる効果がある。
【００２７】
また、本発明は、請求項２に記載のように、請求項１に記載の回転カバー付自転車装置において、自転車本体にカバー体を一体に取付け、カバー体に対して回転カバー体を回転可能に設けてなる構成を有することにより、自転車本体に一体に設けたカバー体に対して回転カバー体を回転可能に設けたから、回転カバー体をカバー体と一体に容易に製作でき、組み立て作業を容易にすることができる効果がある。
【００２８】
また、本発明は、請求項３に記載のように、請求項１又は２に記載の回転カバー付自転車装置において、回転カバー体を自転車本体後方に回転するように設けてなる構成を有することにより、回転カバー体を開放しても前方カバー体だけで自転車の走行に支障が生じない効果がある。
【００２９】
また、本発明は、請求項４に記載のように、請求項１、２又は３に記載の回転カバー付自転車装置において、回転カバー体を前後方向にスライド自在に設けてなる構成を有するから、回転カバー体を後方にスライドすることにより、天井部、側面の開放面積を大小調整することができると共に、開放面積を大きくして自転車への乗り降りを容易にすることができる効果がある。
【００３０】
また、本発明は、請求項５に記載のように、請求項４に記載の回転カバー付自転車装置において、回転カバー体をスライド部端部付近において位置決め停止可能に設けてなる構成を有することにより、回転カバー体を、スライド部端部付近において任意に位置決め停止しておくことができる効果がある。
【００３１】
また、本発明は、請求項６に記載のように、請求項１乃至５のいずれかに記載の回転カバー付自転車装置において、回転カバー体を取り外し可能に設けてなる構成を有することにより、好天気の場合等に、回転カバー体を取り外して外の風景を眺め外気を呼吸し触れることができると共に、室内において健康維持や電池の充電のために自転車を停止して漕ぐときには、回転カバー体を取り外しておくことができる効果がある。
【００３２】
また、本発明は、請求項７に記載のように、請求項１乃至６のいずれかに記載の回転カバー付自転車装置において、自転車本体が三輪以上の車輪を備えることからなる構成を有することにより、三輪以上の車輪により自転車本体が転倒することがなく、安定して走行することができる効果がある。
【００３３】
また、本発明は、請求項８に記載のように、請求項１乃至７のいずれかに記載の回転カバー付自転車装置において、自転車本体、カバー体又はカバー体取付フレームが走行に伴って充電可能な電池と駆動モーターを具備することからなる構成を有することにより、駆動モータにより走行することができ、下り坂等において走行に伴って電池に充電できると共に、電池と駆動モーターを自転車本体、回転カバー体又はカバー体取付フレームに選択的に装備することができる効果がある。
【００３４】
また、本発明は、請求項９に記載のように、請求項１乃至８のいずれかに記載の回転カバー付自転車装置において、自転車本体、カバー体又はカバー体取付フレームに、足こぎに伴って充電可能な電池を具備することからなる構成を有することにより、走行中に限らず室内等において停車中に、足こぎによって電池に充電できると共に、電池を自転車本体、回転カバー体又はカバー体取付フレームに選択的に装備することができる効果がある。
【００３５】
また、本発明は、請求項１０に記載のように、請求項１乃至９のいずれかに記載の回転カバー付自転車装置において、自転車本体、カバー体又はカバー体取付フレームに、足こぎに伴って回転する車輪を回転自在に支持する停止スタンドを設けてなる構成を有することにより、室内等において停車中に、停止スタンドによって支持した車輪を足こぎによって回転して、運動することができると共に、停止スタンドを自転車本体、回転カバー体又はカバー体取付フレームに選択的に装備することができる効果がある。
【図面の簡単な説明】
【図１】本発明に係る回転カバー体付自転車装置の一実施例を示す概略側面説明図。
【図２】その要部の概略説明図。
【図３】その要部の概略拡大説明図。
【図４】その要部の一使用態様を示す概略説明図。
【図５】その要部の他の使用態様を示す概略説明図。
【符号の説明】
１　　　自転車本体
２　　　座席部分
３　　　駆動輪
４　　　伝動チェーン
５　　　中継輪
６　　　伝動チェーン
７　　　被駆動輪
８　　　前輪
９　　　後輪
１０　　カバー体
１１　　固定カバー体
１２　　回転カバー体
１３　　後部カバー体
１４　　回転支持軸
１５　　回転軸受部
１６　　スライド部
１７　　段部
１８　　後端部
１９　　操作部材
２０　　サイド窓
２１　　フロント窓
２２　　天井窓
２３　　後方窓
２４　　フロントライト
２５　　後部ライト
【図１】
2004082747.tif 000003
【図２】
2004082747.tif 000004
【図３】
2004082747.tif 000005
【図４】
2004082747.tif 000006
【図５】
2004082747.tif 000007